(57)【要約】【課題】  従来のコード巻取り装置は、可動接点であるスリップリングによる信号伝達方式であるため、磨耗によるスリップリングの交換、経年変化による接点の導通不良、接点によるコード巻取り装置自体の許容電流の制限があった。【解決手段】  コード巻取り装置に内蔵されている、コード巻取り力を発生させるためのゼンマイバネを周囲に対して電気的に絶縁した状態で取付け、このゼンマイバネを信号伝達手段として利用してスリップリングを不要とした。【選択図】    図１
2006056706.tif 000002
【特許請求の範囲】
【請求項１】
固定軸と、この固定軸に回転自在に取付けたドラムと、固定軸とドラムとの間に介装してドラムに回転力を発生させるゼンマイバネと、ドラムの外周に巻かれ、信号線となる導線を非導電部材で被覆した巻取りコードとを具えたコード巻取り装置であって、前記ゼンマイバネの内端を前記固定軸に、前記ゼンマイバネの外端を前記ドラムに、それぞれ電気的に絶縁した状態で取付け、ゼンマイバネの外端とドラムとの取付部のゼンマイバネの適所に巻取りコードの導線の一端を取付け、ゼンマイバネの内端と固定軸との取付部のゼンマイバネの適所にリード線の一端を取付けて、ゼンマイバネを、巻取りコードの導線とリード線とを通電する信号伝達手段としても使用したことを特徴とするコード巻取り装置。
【発明の詳細な説明】
【技術分野】
【０００１】
本発明は、クレーンの伸縮ブーム等の伸縮部材間の信号伝達手段として用いられるコード巻取り装置に関するものである。
【背景技術】
【０００２】
伸縮するクレーンブームの先端部と基端部との間での電気的な信号伝達を可能とするために、信号伝達用コードのコード巻取り装置が使用されているが、コード巻取り装置の基台部分と回転部分との信号伝達にはスリップリングを用いている。なお、クレーンに用いられるコード巻取り装置に限らず、基台部分と回転部分との信号伝達にスリップリングを用いることは従来既知である（例えば、特許文献１、特許文献２）。
【０００３】
今、クレーンに用いられるコード巻取り装置の従来の構造を図５、図６に示す。
基台１に取付けられた固定軸２にドラム４が回転自在に取付けられている。このドラム４の内部には巻取りコード５を巻取るドラム４に回転力を発生させるゼンマイバネ３が取付けられている。このゼンマイバネ３はその一端が固定軸２に、他端がドラム４の巻胴４aの内側適所に固定され、ドラム４が回転することによって発生する固定軸２との回転差をゼンマイバネ３の内部応力として蓄え、これによりドラム４に回転力を発生させるよう構成されている。ドラム４の巻胴４aの外周には信号伝達用の巻取りコード５が巻かれており、この巻取りコード５は基台１の開口部１０より外部に引き出し出来るよう構成されている。
【０００４】
ドラム４の一方の側板４bにはドラム４と同時に回転するスリップリング７がその側板４bと電気的に絶縁した状態で取付けられており、スリップリング７にはドラム４の巻胴４aに巻かれた巻取りコード５の導線の一端が接続されている。基台１には接点８が常にスリップリング７に接触して導通を維持するよう取付けられている。接点８には信号を基台１の外部に取出すためのリード線６が取付けられている。
以上の構成により、電気信号は巻取りコード５、スリップリング７、接点８、リード線６と伝達し、ドラム４が回転した場合でも電気信号の伝達を可能にしている。
なお、この例はスリップリング７が一個、巻取りコード５の信号線が一本の場合の説明であるが、スリップリング７、巻取りコード５の信号線の数をそれぞれ増やして複数の信号を伝達するようにしたものも従来既知である。
【特許文献１】実開昭６３−５６１６４号公報
【特許文献２】特開平５−２４５０７８号公報
【発明の開示】
【発明が解決しようとする課題】
【０００５】
スリップリングは、可動接点による信号伝達であるため磨耗による交換が必要となり、また経年変化により接点の導通不良が発生するという問題がある。さらに一般的に接点部の接触による電気抵抗は導線部の電気抵抗より大きくなるため、接点の存在によりコード巻取り装置の許容電流が制限されてしまう。
【課題を解決するための手段】
【０００６】
本発明は、上記課題を解決するために、コード巻取り装置に内蔵されているコード巻取り力を発生させるためのゼンマイバネを信号伝達手段として使用するよう構成してスリップリングを不要としたもので、その要旨とするところは、固定軸と、この固定軸に回転自在に取付けたドラムと、固定軸とドラムとの間に介装してドラムに回転力を発生させるゼンマイバネと、ドラムの外周に巻かれ、信号線となる導線を非導電部材で被覆した巻取りコードとを具えたコード巻取り装置であって、前記ゼンマイバネの内端を前記固定軸に、前記ゼンマイバネの外端を前記ドラムに、それぞれ電気的に絶縁した状態で取付け、ゼンマイバネの外端とドラムとの取付部のゼンマイバネの適所に巻取りコードの導線の一端を取付け、ゼンマイバネの内端と固定軸との取付部のゼンマイバネの適所にリード線の一端を取付けて、ゼンマイバネを、巻取りコードの導線とリード線とを通電する信号伝達手段としても使用したものである。
【発明の効果】
【０００７】
本発明のコード巻取り装置では、スリップリングの可動接点を有しないため、スリップリングの磨耗による交換の必要がなく、また経年変化による接点の導通不良が発生することがない。さらにコード巻取り装置の定格電流をより大きく設定することが可能となる。同時に、構造を簡素化でき、スリップリングのスペースが不要となることで、安価、装置の小型化が可能となる。
【発明を実施するための最良の形態】
【０００８】
本発明の第１の実施形態（図１，２）
基台１に取付けられた固定軸２を回転中心として、ドラム４が回転自在に取り付けられている。ドラム４の内部には、コードを巻き取るための回転力を発生させるゼンマイバネ３が取付けられている。ゼンマイバネ３は、その一端が固定軸２に、他端がドラム４の巻胴４aの内側に、それぞれ後述するような取付方法で固定され、ドラム４が回転することによって発生する固定軸２との回転差をゼンマイバネ３の内部応力として蓄えるよう構成されている。
【０００９】
固定軸２は、表面が絶縁材９で覆われてゼンマイバネ３と接触しても電気的に導通することが無いよう処理され、またゼンマイバネ３の内端は固定軸２と絶縁ブッシュ１１を介して固定ピン１２で固定されている。従ってゼンマイバネ３は固定軸２と電気的に絶縁した状態で固定軸２に取付けられている。
【００１０】
ドラム４は、内面が絶縁材９で覆われてゼンマイバネ３と接触しても電気的に導通することが無いよう処理され、またゼンマイバネ３の外端はドラム４の巻胴４aの内側と絶縁ブッシュ１３を介して固定ピン１４で固定されている。従ってゼンマイバネ３はドラム４と電気的に絶縁した状態でドラム４に取付けられている。
なお、固定軸２とドラム４とを樹脂等の絶縁体で構成してもよい。この場合、固定軸２の表面及びドラム４の内面を絶縁材で覆ったり、絶縁ブッシュを用いる必要はない。
【００１１】
本発明の第２の実施形態（図３）
この実施形態は、巻取りコードが２本の信号線（導線）を有する場合において、本発明の第１の実施形態（図１，２）に、ゼンマイバネを２個用いて、この２個のゼンマイバネ３a，３bを介して２つの信号を伝達するようにした例である。
基本的な構造は第１の実施形態と同じであるが、相違する点は、巻取りコード５wが２本の信号線（導線）を有し、２個のゼンマイバネ３a，３bを有し、２つのリード線６a，６bを有し、さらに２個のゼンマイバネ３a，３bの間に絶縁板１５を取付け、２個のゼンマイバネ３a，３b同士を絶縁している点である。
巻取りコードの信号線（導線）が２本以上の場合には、それに応じてゼンマイバネ等を増やすことで対応することが出来る。
なお、巻取りコード５wは、複数の信号線（導線）を１本に纏めた同軸線あるいは多芯線で構成されている。
【００１２】
本発明の第３の実施形態（図４）
この実施形態は、巻取りコードが２本の信号線（導線）を有する場合に、１本の信号線（導線）は従来のスリップリングによる信号伝達方式で、他の１本の信号線（導線）は、実施形態１のゼンマイバネによる信号伝達方式としたものである。従来のスリップリング方式のコード巻取り装置に絶縁材９等を追加工することにより、対応することができる。
【図面の簡単な説明】
【００１３】
【図１】本発明に係るコード巻取り装置の第１の実施形態の側面断面図である。
【図２】図１のA―A断面図である。
【図３】本発明に係るコード巻取り装置の第２の実施形態の側面断面図である。
【図４】本発明に係るコード巻取り装置の第３の実施形態の側面断面図である。
【図５】従来のコード巻取り装置の側面断面図である。
【図６】図５のB―B断面図である。
【符号の説明】
【００１４】
１  基台
２  固定軸
３  ゼンマイバネ
４  ドラム
５  巻取りコード
６  リード線
７  スリップリング
８  接点
９  絶縁材
１１  絶縁ブッシュ
１２  固定ピン
１３  絶縁ブッシュ
１４  固定ピン
【図１】
2006056706.tif 000003
【図２】
2006056706.tif 000004
【図３】
2006056706.tif 000005
【図４】
2006056706.tif 000006
【図５】
2006056706.tif 000007
【図６】
2006056706.tif 000008